(57)【要約】【課題】不必要な電源オンを回避することが可能な自動電源機能付きデータ通信方式を提供する。【解決手段】パソコン１に通信制御回路が組み込まれているオプションボード９を実装する。オプションボード９にはケーブル１２でモデム１１を接続し、通信可能状態にする。更にオプションボード９にＡＣスイッチ（メイン電源）３を操作するための外部出力端子７とＡＣスイッチ８（メイン電源）３から電源が供給されない間、バックアップ用電源１０から電源が供給されるような端子を設ける。パソコン１に内蔵されているＡＣスイッチ（メイン電源）３にはＡＣ電源の他に外部入力端子５を設け、オプションボード９の外部出力端子７からケーブル６経由で来る電源ＯＮ信号により電源をＯＮさせる機能を持たせる。【選択図】  図１
2005018658.tif 000002
【特許請求の範囲】
【請求項１】
通信制御機能を有するオプションボードを装着してデータ通信を行うコンピュータにおいて、前記オプションボードは、外部から信号を入力する外部入力端子と、外部に信号を出力する外部出力端子と、前記コンピュータのメイン電源起動を制御する制御信号の有効／無効を切り換える切換スイッチと、時間等のパラメータを格納するメモリと、前記時間等のパラメータに基づいて前記制御信号をチェックするチェック部とを有し、前記オプションボードは、前記外部入力端子から入力された前記制御信号が前記切換スイッチおよびチェック部によって起動が許可されると、前記外部出力端子から前記制御信号を前記メイン電源へ送出して前記メイン電源を起動することを特徴とする自動電源機能付きデータ通信方式。
【発明の詳細な説明】
【０００１】
【発明の属する技術分野】
本発明は、自動電源機能付きデータ通信方式に関し、特にホストコンピュータとのデータ通信を行うパソコンを自動的に電源ＯＮにする自動電源機能付きデータ通信方式に関する。
【０００２】
【従来の技術】
従来のこの種の自動電源機能付きデータ通信方式が、文献番号１の発明に記載されている。文献番号１記載の発明は、通信用インタフェース回路をオプションボードとして装着できるデータ受信装置において、オプションボードには被呼信号用の中継端子を設け、データ受信装置本体側には中継端子を経由した被呼信号を検出してＡＣ電源をオンさせる通信制御回路を内蔵させる。これら中継端子と外部入力端子との間を必要に応じてケーブルで接続することによりＡＣ電源オフ時の自動着信を可能とする。
【０００３】
【特許文献１】特開昭６３−１４１４３１号公報
【発明が解決しようとする課題】
上述した文献番号１記載の従来技術では、受信データから電源オンする機能がなく、回線からの制御信号（ＩＣ信号）のみを起動条件としているため、呼出側の意志とは無関係に不必要な電源オンが発生してしまうという問題がある。
【０００４】
また、実現手段として、データ通信以外に自動電源機能を実現するためのオプションボードが必要となる問題がある。
【０００５】
本発明は上記問題に鑑みてなされたものであって、本発明は、不必要な電源オンを回避することが可能な自動電源機能付きデータ通信方式を提供することを目的とする。
【０００６】
【課題を解決するための手段】
請求項１記載の発明は、通信制御機能を有するオプションボードを装着してデータ通信を行うコンピュータにおいて、前記オプションボードは、外部から信号を入力する外部入力端子と、外部に信号を出力する外部出力端子と、前記コンピュータのメイン電源起動を制御する制御信号の有効／無効を切り換える切換スイッチと、時間等のパラメータを格納するメモリと、前記時間等のパラメータに基づいて前記制御信号をチェックするチェック部とを有し、前記オプションボードは、前記外部入力端子から入力された前記制御信号が前記切換スイッチおよびチェック部によって起動が許可されると、前記外部出力端子から前記制御信号を前記メイン電源へ送出して前記メイン電源を起動することを特徴とする。
【０００７】
【発明の実施の形態】
次に本発明の実施形態について図面を参照して詳細に説明する。図１は、本発明の自動電源機能付きデータ通信方式にかかわる実施形態の構成を示すブロック図である。図１において、パソコン１はデータ受信装置に相当するもので、このパソコン１には、通信制御回路が組み込まれたオプションボード９が実装されている。オプションボード９にはケーブル１２でモデム１１を接続し、通信可能状態にする。更にオプションボード９にはＡＣスイッチ（メイン電源）３を操作するための外部出力端子７と、ＡＣスイッチ（メイン電源）３から電源が供給されない間、バックアップ用電源１０から電源が供給できる端子が設けられている。
【０００８】
ＡＣスイッチ２は、手動操作でＡＣスイッチ（メイン電源）３をＯＮさせてパソコン１を起動する手段である。
【０００９】
ＡＣスイッチ（メイン電源）３は、ＡＣ電源４の他に外部入力端子５を設け、オプションボード（通信制御回路）９の外部出力端子７からケーブル６経由で来る電源ＯＮ信号により電源をＯＮさせる機能を有する。
【００１０】
次に、本実施形態の動作について図１を参照して詳細に説明する。はじめは、パソコン１のＡＣスイッチ（メイン電源）３がＯＦＦの状態で、バックアップ用電源１０によりオプションボード（通信制御回路）９のみ動作している。
【００１１】
通信回線１３からモデム１１、ケーブル１２を介してオプションボード（通信制御回路）９にデータが受信される。データ受信後、オプションボード（通信制御回路）９の内部で受信データが電源ＯＮ命令なのか判断する。電源ＯＮの命令と判断された場合、オプションボード（通信制御回路）９に設けられている外部出力端子７からケーブル６を介してＡＣスイッチ（メイン電源）３の外部出力端子５に電源ＯＮ信号が送られる。
【００１２】
外部入力端子５から電源ＯＮ命令を受け取ったＡＣスイッチ（メイン電源）３は電源をＯＮし、パソコン１を起動させる。起動したパソコン１は主制御部８に制御され、オプションボード（通信制御回路）９もパソコン１の通信制御部として制御される。
【００１３】
図２は、本実施形態のオプションボード７の内部動作の一例を示すブロック図である。図２では、制御信号による起動条件を有効／無効にする切換スイッチの付加、また、時間等のパラメータをフラッシュメモリに格納することにより、不要な電源ＯＮを回避している。
【００１４】
具体的には、オプションボード９は、制御信号を受け取るための通信用コネクタ９０６と、電源ＯＮ信号を送るための外部出力端子７を有する。オプションボード９内部には、制御信号による起動条件を任意に有効／無効に切り換えられる切換スイッチ部９０５と、不必要な起動を回避するための時間等のチェック部９０４と、起動条件を満たした時に電源ＯＮ信号を発行するＡＣスイッチＯＮ信号生成部９０３と、時間等のチェック部９０４を制御するためのプログラム９０２を格納したフラッシュメモリ９０１を有する。
【００１５】
次に本実施形態において、制御信号から電源ＯＮ信号生成までの動作について図２を参照して詳細に説明する。通信用コネクタ９０６から受け取った制御信号は、はじめに有効／無効の切換スイッチ９０５を通る。この有効／無効の切換スイッチ９０５が無効設定の場合にはその場で吐き捨てられる。有効設定の場合には制御信号をそのまま通し、時間等のチェック部でチェックを受ける。時間は予めフラッシュメモリ９０１内に格納されたプログラム９０２で設定されており、チェックもプログラム９０２にしたがって行われる。起動許可をもらった制御信号はＡＣスイッチＯＮ信号生成部９０３に入り、そこで電源ＯＮ信号が生成される。最後に生成された電源ＯＮ信号は外部出力端子７から電源に送られる。
【００１６】
図３は、本実施形態のオプションボード７の内部動作の他例を示すブロック図である。図３では、受信データの監視機能により、特定文字列受信による自動電源ＯＮの可能、通信ソフトウェアの一部をフラッシュメモリに格納することにより、あらゆるプロトコルにも対応可能としている。
【００１７】
図３において、オプションボード９には、図２同様、制御信号を受け取るための通信用コネクタ９０６と、電源ＯＮ信号を送るための外部出力端子７が設けられている。また、オプションボード９の内部は大きく３つのブロックに分かれ、通信を制御する通信制御部９１４と、通信内容から起動条件をチェックして電源ＯＮ信号を生成する自動電源制御部９１１と、これら２つの制御部を制御するプログラムを格納したフラッシュメモリ９０１とを有する。
【００１８】
フラッシュメモリ９０１には、予め自動電源ＯＮプログラム９１２と、あらゆるプロトコルに対応可能な通信プログラム９１３を格納しておく。自動電源ＯＮプログラム９１２は、自動電源制御部９１１を制御し、受信データの電源ＯＮ命令コマンド監視９１６や起動時間監視９１７を行う。通信プログラム９１３は通信制御部９１４を制御し、あらゆるプログラムに対応する。
【００１９】
次に、図３を参照して、制御信号から電源ＯＮ信号生成までの動作について詳細に説明する。通信用コネクタ９０６から受け取った制御信号は、はじめに通信制御部９１４に入る。通信制御部９１４は、フラッシュメモリ９０１に格納されている通信プロトコル９１３の手順に従って受信データを解析し、自動電源制御部９１１にそのデータを送る。
【００２０】
自動電源制御部９１１は受け取ったデータを、同じくフラッシュメモリ９０１に格納されている自動電源ＯＮプログラム９１２の手順に従って、受信データが電源ＯＮの条件をみたすものなのか判別する。受信データが電源ＯＮの条件を満たすものと判別された場合、電源ＯＮ信号を生成し、外部出力端子７から外部に創出される。
【００２１】
パソコン１の起動後は、制御をフラッシュメモリ９０１からパソコン１に移し、パソコン１の制御に従って通信制御を行う。
【００２２】
以上説明したように本実施形態によれば、通信制御部９と１４自動電源制御部９１１をオプションボード９に盛り込んでいるため、従来技術のような過剰設備を避けることができ、他方データ伝送を行いかつＡＣ電源ＯＦＦ時の自動着信機能を望むユーザにあっては、オプションボード９を実装するとともに、外部出力端子７と外部入力端子５との間をケーブル６で接続するだけで済む。
【００２３】
更にデータ伝送を行い、かつＡＣ電源ＯＦＦ時の自動着信が不要なユーザに対しては、オプションボード９は実装するものの、外部出力端子７と外部入力端子５との間をケーブル６で接続しなければよい。
【００２４】
このように本実施形態によれば、ユーザの多様な要望に的確に応えることができる。なお、本実施形態は、ファクシミリ等にも同様に適用することが可能である。
【００２５】
【発明の効果】
本発明によれば、特別に自動電源機能を実現するためのオプションボードを設けることなく、ＡＣスイッチ（メイン電源）をＯＮにすることができる。
【００２６】
また、本発明によれば、制御信号による起動条件を有効／無効にする切換スイッチ、また、時間等のパラメータをフラッシュメモリに格納することにより、不必要な電源ＯＮを回避することができる。
【００２７】
また、本発明によれば、受信データの監視機能により、特定文字列受信による自動電源ＯＮが可能であり、さらに通信ソフトウェア一部をフラッシュメモリに格納することにより、あらゆるプロトコルにも対応可能である。
【図面の簡単な説明】
【図１】本発明の実施形態の構成を示すブロック図である。
【図２】本発明のオプションボードの構成の一例を示すブロック図である。
【図３】本発明のオプションボードの構成の他例を示すブロック図である。
【符号の説明】
１    パソコン
２    ＡＣスイッチ
３    ＡＣスイッチ（メインスイッチ）
４    ＡＣ電源
５    外部入力端子
６    ケーブル
７    外部出力端子
８    主制御部
９    オプションボード
１０    バックアップ用電源
１１    モデム
１２    ケーブル
１３    通信回線
９０１    フラッシュメモリ
９０２    プログラム
９０３    ＡＣスイッチＯＮ信号生成部
９０４    時間等のチェック部
９０５    有効／無効の切換スイッチ
９１１    自動電源制御部
９１２    自動電源ＯＮプログラム
９１３    通信プログラム
９１４    通信制御部
９１５    プロトコル
９１６    コマンド監視
９１７    時間監視
【図１】
2005018658.tif 000003
【図２】
2005018658.tif 000004
【図３】
2005018658.tif 000005